(57)【要約】  ソーラー回路（２）、結合回路（１）、コンバータ回路（５）、ソース回路（３）及び負荷回路（４）を有するシステムであって、結合回路（１）は、第１の充電モードにおいて、コンバータ回路（５）を介してソース回路（３）にソーラー回路（２）を結合し、第２の給電モードにおいて、コンバータ回路（５）を介して負荷回路（４）にソース回路（３）を結合する、システムが提供される。コンバータ回路（５）を通る電力潮流は、両モードにおいて同じ方向を持つ。第１のモードにおいて、充電電流は、ソース回路（３）を充電するためソーラー回路（２）からコンバータ回路（５）を介してソース回路（３）に案内される。第２のモードにおいて、給電電流は、負荷回路（４）に給電するためソース回路（３）からコンバータ回路（５）を介して負荷回路（４）に案内される。結合回路（１）は、第１のスイッチ（１１）及び第２のスイッチ（１２）並びに第１のスイッチ（１１）及び第２のスイッチ（１２）を制御するための制御回路（１３−２１）を有してもよい。制御回路（１３−２１）は、ジェネレータ（１３、１５）、比較器（１４）、検出器（１６、１７、１９）、マネージャ（１８）及びレギュレータ（２０）を有してもよい。
2017505595.tif 000002
【特許請求の範囲】
【請求項１】
ソーラー回路、結合回路、コンバータ回路、ソース回路及び負荷回路を有するシステムであって、
前記結合回路は、第１のモードにおいて、前記コンバータ回路を介して前記ソース回路に前記ソーラー回路を結合し、第２のモードにおいて、前記コンバータ回路を介して前記負荷回路に前記ソース回路を結合するよう構成され、前記コンバータ回路を通る電力潮流は、両モードにおいて同じ方向を持つ、システム。
【請求項２】
前記結合回路は、前記第１のモードにおいて、前記ソース回路を充電するため前記ソーラー回路から前記コンバータ回路を介して前記ソース回路に充電電流を案内し、前記第２のモードにおいて、前記負荷回路に給電するため前記ソース回路から前記コンバータ回路を介して前記負荷回路に給電電流を案内する、請求項１に記載のシステム。
【請求項３】
前記充電電流及び前記給電電流は、直流信号である、請求項２に記載のシステム。
【請求項４】
前記結合回路は、
−  前記第１のモードにおいて、前記ソーラー回路の出力部を前記コンバータ回路の入力部に結合し、前記第２のモードにおいて、前記ソース回路の端子を前記コンバータ回路の前記入力部に結合するための第１のスイッチ、及び
−  前記第１のモードにおいて、前記コンバータ回路の出力部を前記ソース回路の前記端子に結合し、前記第２のモードにおいて、前記コンバータ回路の前記出力部を前記負荷回路の入力部に結合するための第２のスイッチ、
を有する、請求項１に記載のシステム。
【請求項５】
前記結合回路は、
−  前記第１のスイッチ及び前記第２のスイッチを制御するための制御回路、
を有する、請求項４に記載のシステム。
【請求項６】
前記制御回路は、第１の制御信号及び第２の制御信号を前記第１のスイッチ及び前記第２のスイッチに供給するための第１のジェネレータを有する、請求項５に記載のシステム。
【請求項７】
前記制御回路は、前記ソーラー回路の出力電圧を閾値と比較し、比較結果に応じて、前記第１の制御信号及び前記第２の制御信号を定めるための比較器を有する、請求項６に記載のシステム。
【請求項８】
前記制御回路は、第３の制御信号を前記コンバータ回路に供給するための第２のジェネレータを有する、請求項５に記載のシステム。
【請求項９】
前記制御回路は、前記ソーラー回路の出力電圧及び／若しくは出力電流を検出するための第１の検出器、並びに／又は前記ソース回路の端子電圧及び／若しくは端子電流を検出するための第２の検出器を有し、前記制御回路は、前記第１のモードにおいて、前記第１の検出器及び／又は前記第２の検出器からの１つ以上の検出結果に応じて、前記第３の制御信号を定めるためのマネージャを有する、請求項８に記載のシステム。
【請求項１０】
前記第１のモードにおける前記第３の制御信号は、充電パラメータを定める、請求項９に記載のシステム。
【請求項１１】
前記制御回路は、前記負荷回路に供給される入力電圧を検出するための第３の検出器を有し、前記制御回路は、前記第２のモードにおいて、前記第３の検出器からの検出結果に応じて、前記第３の制御信号を定めるためのレギュレータを有する、請求項８に記載のシステム。
【請求項１２】
前記第２のモードにおける前記第３の制御信号は、給電パラメータを定める、請求項１１に記載のシステム。
【請求項１３】
第１のモードにおいて、コンバータ回路を介してソース回路にソーラー回路を結合する第１のステップ、及び第２のモードにおいて、前記コンバータ回路を介して負荷回路に前記ソース回路を結合する第２のステップを有する方法であって、前記コンバータ回路を通る電力潮流は、両モードにおいて同じ方向を持つ、方法。
【発明の詳細な説明】
【技術分野】
【０００１】
本発明は、第１のモードにおいて、ソーラー回路(solar circuit)をソース回路(source circuit)に結合し、第２のモードにおいて、ソース回路を負荷回路(load circuit)に結合するための結合回路に関する。本発明はさらに、システム及び方法に関する。
【０００２】
斯かるソーラー回路の例は、ソーラーパネルである。斯かるソース回路の例は、蓄電池である。斯かる負荷回路の例は、ランプである。
【背景技術】
【０００３】
Kai Sun、 Li Zhang、 Yan Xing、Josep M. Guerreroによる文献“A Distributed Control Strategy based on DC Bus Signaling for Modular Photovoltaic Generation Systems with Battery Energy Storage”は、図２において、第１のモードにおいて、第１のコンバータ回路を介してソース回路にソーラー回路を結合し、第２のモードにおいて、第２のコンバータ回路を介して負荷回路に前記ソース回路を結合するための結合回路を開示する。言い換えると、この結合回路は、２つの異なるコンバータ回路を必要とする点で不利である。
【０００４】
米国特許出願公開第US 2009/0262523A1号公報は、太陽電池を原動力とするＬＥＤデバイスを開示し、太陽電池ユニットから再充電可能電池ユニットを充電するための第１のＤＣ／ＤＣコンバータ及びＬＥＤ照明素子に前記再充電可能電池ユニットを放電するための第２のＤＣ／ＤＣコンバータが設けられている。
【０００５】
仏国特許出願公開第FR2986602A1号公報は、２つのコンバータ５１、６１を開示し、バッテリ４を実際に放電するコンバータが、これら２つのコンバータ５１、６１間で選択的に切り換えられる。
【発明の概要】
【発明が解決しようとする課題】
【０００６】
本発明の目的は、改善されたシステム及び改善された方法を提供することにある。
【課題を解決するための手段】
【０００７】
第１の態様によれば、ソーラー回路（２）、結合回路（１）、コンバータ回路（５）、ソース回路（３）及び負荷回路（４）を有するシステムであって、結合回路（１）は、第１のモードにおいて、コンバータ回路（５）を介してソース回路（３）にソーラー回路（２）を結合し、第２のモードにおいて、コンバータ回路（５）を介して負荷回路（４）にソース回路（３）を結合するよう構成され、コンバータ回路（５）を通る電力潮流(power flow)は、両モードにおいて同じ方向を持つ、システムが提供される。
【０００８】
このシステムは、第１の（充電）モードにおいて、コンバータ回路を介してソース回路にソーラー回路を結合し、第２の（給電）モードにおいて、同じコンバータ回路を介して負荷回路にソース回路を結合することを可能にする。これは、大きな利点である。
【０００９】
両モードにおいて、コンバータ回路を通る電力潮流は、同一の方向を持つ。すなわち、第１のモードにおいて、第１の電力潮流は、コンバータ回路を介してソーラー回路からソース回路に流れ、第２のモードにおいて、第２の電力潮流は、第１の電力潮流と同一の方向で当該コンバータ回路を介してソース回路から負荷回路に流れる。結果として、基本的で一般に利用可能なコンバータ回路が用いられ得る。これは、別の大きな利点である。
【００１０】
図１において８個の異なるコンバータ回路を用い、図２において６個の異なるコンバータ回路を用いる前述の文献は、１つのコンバータ回路を用いることから大きく的を逸している。
【００１１】
結果として、改善されたシステムが、より安価となるようソーラー回路、ソース回路及び負荷回路を結合することを可能にする。これは、斯かるシステムが、より容易且つ迅速に導入されることを可能にし、これは、世界で産出されるＣＯ２の量を減らすであろう。これは、最も重要なことである。さらに、大幅に減らされる部品数は、サステナビリティに貢献するであろう。
【００１２】
コンバータ回路は、例えば、ブーストコンバータ等の１つのコンバータを有してもよく、又は例えば、１８０°の位相シフトで動作する２つのブーストコンバータ若しくは１２０°の位相シフトで動作する３つのブーストコンバータ等交互的に動作する２つ以上のコンバータを有してもよい。ソーラー回路は、１つ以上の光起電性パネル又はソーラーパネルを有してもよい。ソース回路は、１つ以上の充電池を有してもよい。負荷回路は、ＬＥＤランプ等の１つ以上のランプを有してもよい。１つ以上のランプは、ドライバを有してもよく、又はドライバに結合されてもよい。負荷回路はまた、結合回路にランプを結合するためのバスを有してもよい。他の種類の回路が除外されるべきではない。
【００１３】
システムの一実施例によれば、結合回路は、第１のモードにおいて、ソース回路を充電するためソーラー回路からコンバータ回路を介してソース回路に充電電流を案内し、第２のモードにおいて、負荷回路に給電するためソース回路からコンバータ回路を介して負荷回路に給電電流を案内する。１つのコンバータ回路が、充電電流及び給電電流の両方を案内するために用いられる。
【００１４】
システムの一実施例によれば、充電電流及び給電電流は、直流信号である。通例、ソーラー回路及びソース回路は、ＤＣ信号を生成する。ＤＣ信号をＡＣ信号に変換する又はＡＣ信号をＤＣ信号に変換する場合、エネルギ効率は低下する。ＤＣ信号の形態の充電電流及び給電電流を用いることにより、優れたエネルギ効率が達成される。
【００１５】
システムの一実施例によれば、結合回路は、
−  第１のモードにおいて、ソーラー回路の出力部をコンバータ回路の入力部に結合し、第２のモードにおいて、ソース回路の端子をコンバータ回路の入力部に結合するための第１のスイッチ、及び
−  第１のモードにおいて、コンバータ回路の出力部をソース回路の端子に結合し、第２のモードにおいて、コンバータ回路の出力部を負荷回路の入力部に結合するための第２のスイッチ、
を有する。
【００１６】
第１のスイッチ及び第２のスイッチは、機械スイッチ（低電力損失）及び電子スイッチ（超寿命）等の任意の種類のスイッチとすることができる。コンバータ回路を通る電力潮流は、コンバータ回路の入力部からコンバータ回路の出力部に流れる。
【００１７】
システムの一実施例によれば、結合回路は、
−  第１のスイッチ及び第２のスイッチを制御するための制御回路、
を有する。
【００１８】
結合回路は、第１のスイッチ及び第２のスイッチを制御するための制御回路を有することが好ましく、これにより、制御回路は、結合回路の一部を成す。
【００１９】
システムの一実施例によれば、制御回路は、第１の制御信号及び第２の制御信号を第１のスイッチ及び第２のスイッチに供給するための第１のジェネレータを有する。第１のスイッチは、第１の制御信号を通じて制御され、第２のスイッチは、第２の制御信号を通じて制御されることが好ましい。第１（第２）の制御信号は、例えば、第１のモードにおいて、第１（第２）のスイッチの第１の開閉接点及び主接点が接続されるべきであることを定め、これにより、第１（第２）のスイッチの第２の開閉接点及び主接点は、接続が切られる。第１（第２）の制御信号は、例えば、第２のモードにおいて、第１（第２）のスイッチの第２の開閉接点及び主接点が接続されるべきであることを定め、これにより、第１（第２）のスイッチの第１の開閉接点及び主接点は、接続が切られる。第１の制御信号及び第２の制御信号は同一の信号であってもよく、又は異なる信号であってもよい。
【００２０】
システムの一実施例によれば、制御回路は、ソーラー回路の出力電圧を閾値と比較し、比較結果に応じて、第１の制御信号及び第２の制御信号を定めるための比較器を有する。閾値は、例えば、ソーラー回路のオープン出力におけるソーラー回路の最大出力電圧の１／３に等しく選択されてもよい。ソーラー回路の出力電圧が閾値よりも大きい場合、結合回路は、第１の（充電）モードにあるべきである。ソーラー回路の出力電圧が閾値よりも小さい場合、結合回路は、第２の（給電）モードにあるべきである。他の閾値が除外されるべきではない。
【００２１】
システムの一実施例によれば、制御回路は、第３の制御信号をコンバータ回路に供給するための第２のジェネレータを有する。コンバータ回路は、第３の制御信号を通じて制御されることが好ましい。第３の制御信号は、例えば、コンバータ回路のパルス幅変調を定める。
【００２２】
システムの一実施例によれば、制御回路は、ソーラー回路の出力電圧及び／若しくは出力電流を検出するための第１の検出器、並びに／又はソース回路の端子電圧及び／若しくは端子電流を検出するための第２の検出器を有し、制御回路は、第１のモードにおいて、第１の検出器及び／又は第２の検出器からの１つ以上の検出結果に応じて、第３の制御信号を定めるためのマネージャ(manager)を有する。第１のモードにおいて、コンバータ回路は、ソーラー回路の出力電圧及び／若しくは出力電流、並びに／又はソース回路の端子電圧及び／若しくは端子電流に応じて制御されることが好ましい。
【００２３】
システムの一実施例によれば、第１のモードにおける第３の制御信号は、充電パラメータを定める。第１のモードは充電モードである。
【００２４】
システムの一実施例によれば、制御回路は、負荷回路に供給される入力電圧を検出するための第３の検出器を有し、制御回路は、第２のモードにおいて、第３の検出器からの検出結果に応じて、第３の制御信号を定めるためのレギュレータ(regulator)を有する。第２のモードにおいて、コンバータ回路は、負荷回路に供給される入力電圧に応じて制御されることが好ましい。負荷回路に供給される入力電圧は、コンバータ回路の出力電圧に等しい。
【００２５】
システムの一実施例によれば、第２のモードにおける第３の制御信号は、給電パラメータを定める。第２のモードは給電モードである。
【００２６】
第３の態様によれば、第１のモードにおいて、コンバータ回路を介してソース回路にソーラー回路を結合する第１のステップ、及び第２のモードにおいて、コンバータ回路を介して負荷回路にソース回路を結合する第２のステップを有する方法であって、コンバータ回路を通る電力潮流は、両モードにおいて同じ方向を持つ、方法が提供される。
【００２７】
基本的な思想は、全く同一のコンバータ回路が、ソーラー回路にソース回路を充電させるため及びソース回路に負荷回路を給電させるために用いられ得ることにある。
【００２８】
改善されたシステムを提供するという課題は解決されている。さらなる利点は、世界で産出されるＣＯ２の量を減らせることである。
【００２９】
本発明のこれらの及び他の態様が、以下に記載の実施例を参照して明らかになり、より詳細に述べられるであろう。
【図面の簡単な説明】
【００３０】
【図１】図１は、システムの一実施例を示す。
【図２】図２は、システムの他の実施例を示す。
【発明を実施するための形態】
【００３１】
ソーラー回路、結合回路、コンバータ回路、ソース回路及び負荷回路を有するシステムであって、
結合回路は、第１のモードにおいて、コンバータ回路を介してソース回路にソーラー回路を結合し、第２のモードにおいて、コンバータ回路を介して負荷回路にソース回路を結合するよう構成され、コンバータ回路を通る電力潮流は、両モードにおいて同じ方向を持つ、システムが提供される。
【００３２】
図１において、システムの一実施例が示される。概して、結合回路１は、第１のモードにおいて、コンバータ回路５を介してソース回路３にソーラー回路２を結合し、第２のモードにおいて、コンバータ回路５を介して負荷回路４にソース回路３を結合するよう構成される。コンバータ回路５を通る電力潮流は、両モードにおいて同じ方向を持つ。結合回路１は、第１のモードにおいて、ソース回路３を充電するためソーラー回路２からコンバータ回路５の入力部及び出力部を介してソース回路３にという順で充電電流を案内する。結合回路１は、第２のモードにおいて、負荷回路４に給電するためソース回路３からコンバータ回路５の入力部及び出力部を介して負荷回路４にという順で給電電流を案内する。充電電流及び給電電流は、直流信号、すなわち、ＤＣ信号であることが好ましい。
【００３３】
とりわけ、例示の実施例によれば、結合回路１は、第１のモードにおいて、ソーラー回路２の出力部をコンバータ回路５の入力部に結合し、第２のモードにおいて、ソース回路３の端子をコンバータ回路５の入力部に結合するため、主接点がコンバータ回路５の入力部に結合され、第１の開閉接点がソーラー回路２の出力部に結合され、第２の開閉接点がソース回路３の端子に結合される、第１のスイッチ１１を有する。さらに、結合回路１は、第１のモードにおいて、コンバータ回路５の出力部をソース回路３の端子に結合し、第２のモードにおいて、コンバータ回路５の出力部を負荷回路４の入力部に結合するため、主接点がコンバータ回路５の出力部に結合され、第１の開閉接点がソース回路３の端子に結合され、第２の開閉接点が負荷回路４の入力部に結合される、第２のスイッチ１２を有する。
【００３４】
ソーラー回路２は、例えば、１つ以上の光起電性パネル又はソーラーパネルを有する。
ソース回路３は、例えば、１つ以上の充電池を有する。負荷回路４は、例えば、ＬＥＤランプ等の１つ以上のランプを有する。コンバータ回路５は、例えば、ブーストコンバータ等の１つのコンバータを有し、又は例えば、１８０°の位相シフトで動作する２つのブーストコンバータ若しくは１２０°の位相シフトで動作する３つのブーストコンバータ等交互的に動作する２つ以上のコンバータを有する。
【００３５】
結合回路１はさらに、第１のスイッチ１１及び第２のスイッチ１２を制御するための制御回路１３−２１を有してもよい。制御回路１３−２１は、第１の制御信号及び第２の制御信号を第１のスイッチ１１及び第２のスイッチ１２に供給するための第１のジェネレータ１３を有してもよい。制御回路１３−２１は、ソーラー回路２の出力電圧を閾値と比較し、比較結果に応じて、第１の制御信号及び第２の制御信号を定めるための比較器１４を有してもよい。ソーラー回路２の出力電圧が閾値よりも大きい場合（第１のモード、すなわち、充電モード）、比較器１４は、第１のジェネレータ１３に第１の比較結果（第１の固定情報）を供給する。これに応じて、第１のジェネレータ１３は、スイッチ１１、１２各々において主接点が第１の開閉接点に接続されるように、第１のスイッチ１１及び第２のスイッチ１２に第１の制御信号及び第２の制御信号（例えば、論理“０”）を供給する。ソーラー回路２の出力電圧が閾値よりも小さい場合（第２のモード、すなわち、給電モード）、比較器１４は、第１のジェネレータ１３に第２の比較結果（第２の固定情報）を供給する。これに応じて、第１のジェネレータ１３は、スイッチ１１、１２各々において主接点が第２の開閉接点に接続されるように、第１のスイッチ１１及び第２のスイッチ１２に第１の制御信号及び第２の制御信号（例えば、論理“１”）を供給する。ソーラー回路２の出力電圧が閾値と等しい場合は、両オプションのうちの一方が選択されてもよい。
【００３６】
制御回路１３−２１は、第３の制御信号をコンバータ回路５に供給するための第２のジェネレータ１５を有してもよい。制御回路１３−２１は、ソーラー回路２の出力電圧及び／若しくは出力電流を検出するための第１の検出器１６、並びに／又はソース回路３の端子電圧及び／若しくは端子電流を検出するための第２の検出器１７を有してもよい。制御回路１３−２１は、第１のモードにおいて、第１の検出器１６及び／又は第２の検出器１７からの１つ以上の検出結果に応じて、第３の制御信号を定めるためのマネージャ１８を有してもよい。第１のモードにおける第３の制御信号は、例えば、充電電流の振幅、充電電圧の振幅又は充電電力量等の充電パラメータを定める。
【００３７】
制御回路１３−２１は、負荷回路４に供給される入力電圧を検出するための第３の検出器１９を有してもよい。制御回路１３−２１は、第２のモードにおいて、第３の検出器１９からの検出結果に応じて、第３の制御信号を定めるためのレギュレータ２０を有してもよい。第２のモードにおける第３の信号は、例えば、給電電流の振幅、給電電圧の振幅又は給電電力量等の給電パラメータを定める。
【００３８】
マネージャ１８は、マネージ結果(managing result)（第３の可変情報）をセレクタ２１の第１の入力部に供給し、レギュレータ１９は、レギュレート結果(regulating result)（第４の可変情報）をセレクタ２１の第２の入力部に供給する。セレクタ２１は、比較器１４からの比較結果を通じて制御され、第１のモードにおいて、第１の入力部を自身の出力部に接続し、第２のモードにおいて、第２の入力部を自身の出力部に接続する。この出力部は、第２のジェネレータ１５の入力部に結合される。第３の制御信号は、例えば、第１のモードにおける充電プロセス又は第２のモードにおける給電プロセスを制御するコンバータ回路５のパルス幅変調を定める。
【００３９】
マネージャ１８は、例えば、ソーラー回路２についての最大電力点追尾(maximum power point tracking)及びソース回路３についてのバッテリマネージメント(battery management)を行う。レギュレータ２０は、例えば、コンバータ回路５について、並びに（第２の給電モードにおける）コンバータ回路５の出力部及び負荷回路４内の１つ以上のランプ間に位置するＤＣバスについてのＤＣバスレギュレーション(DC bus regulation)を行う。
【００４０】
代替的に、比較器１４の入力部は、第１の検出器１６の出力部に結合されてもよい。代替的に、セレクタ２１は、マネージャ１８及びレギュレータ１９各々に比較結果を通じて制御されるオン／オフ状態を与えることにより省略されてもよい。代替的に、比較器１８は、光検出器により置き換えられてもよい。この場合、閾値より多い光が検出される場合、第１の充電モードが選択され、閾値より少ない光が検出される場合、第２の給電モードが選択される。代替的に、ジェネレータ１３及び１５は、組み合わされてもよい。代替的に、マネージャ１８及びレギュレータ１９は、組み合わされてもよく、又は処理回路により置き換えられてもよい。後者の場合、比較器１４、検出器１６、１７及び１９、セレクタ２１並びにジェネレータ１３及び１５も、処理回路により実現されてもよい。制御回路１３−２１において、各ブロックは、サブブロックに分割されてもよく、２つ以上のブロックが、より大きなブロック等に組み合わされてもよい。概して、第１のユニット及び第２のユニットは、第３のユニットが介在されることなく直接結合されることができ、又は第３のユニット等を介して間接的に結合されることができる。
【００４１】
結合回路１が、第１のモードにおいて、コンバータ回路５を介してソーラー回路２をソース回路３に結合するよう構成されるという事実は、第１のモードにおいて、ソース回路３と負荷回路４との接続を切ることに対応する。結合回路１が、第２のモードにおいて、コンバータ回路５を介してソース回路３を負荷回路４に結合するよう構成されるという事実は、第２のモードにおいて、ソーラー回路２とソース回路３との接続を切ることに対応する。第１のスイッチ１１及び第２のスイッチ１２の両方は、通常、同期的に動作される。
【００４２】
図２において、システム１００の一実施例が示される。システム１００は、図１においてより詳細に述べられている結合回路１を有し、さらにコンバータ回路５を有する。ソーラー回路２、ソース回路３及び／又は負荷回路４は、同様にシステム１００の一部を成してもよく、そうでなくてもよい。
【００４３】
実質的に、夜明けから夕暮れまで、通常、結合回路１は、第１の充電モードにあるであろう。実質的に、夕暮れから夜明けまで、通常、結合回路１は、第２の給電モードにあるであろう。このように、日中に、ブーストコンバータを介してソーラーパネルに結合されるバッテリは、ソーラーパネルにより充電されることができ、夜間に、同じブーストコンバータを介して街灯に結合される該バッテリは、該街灯に給電することができる。これら街灯は、ＡＣ／ＤＣ変換及び／又はＤＣ／ＡＣ変換を避けるため、ＤＣバスを通じてブーストコンバータ及びバッテリに結合される。結合回路１が第１（第２）のモードにある場合、システム１００もまた、第１（第２）のモードにあるであろう。
【００４４】
要約すると、結合回路１は、第１の充電モードにおいて、コンバータ回路５を介してソース回路３にソーラー回路２を結合し、第２の給電モードにおいて、コンバータ回路５を介して負荷回路４にソース回路３を結合する。コンバータ回路５を通る電力潮流は、両モードにおいて同じ方向を持つ。第１のモードにおいて、充電電流は、ソース回路３を充電するためソーラー回路２からコンバータ回路５を介してソース回路３に案内される。第２のモードにおいて、給電電流は、負荷回路４に給電するためソース回路３からコンバータ回路５を介して負荷回路４に案内される。結合回路１は、第１のスイッチ１１及び第２のスイッチ１２並びに第１のスイッチ１１及び第２のスイッチ１２を制御するための制御回路１３−２１を有してもよい。制御回路１３−２１は、ジェネレータ１３、１５、比較器１４、検出器１６、１７、１９、マネージャ１８及びレギュレータ２０を有してもよい。
【００４５】
本発明が図面及び上述の記載において詳述されたが、これらの図面及び記載は、例示としてみなされるべきであり、限定的なものではない。本発明は、開示された実施例に限定されない。開示された実施例に対する他のバリエーションが、図面、開示及び添付の特許請求の範囲の研究から、特許請求の範囲の発明を実践する当業者によって理解され、実施され得るであろう。請求項において、“有する”という用語は他の要素又はステップを除外するものではなく、単数表記は複数を除外するものではない。特定の手段が相互に異なる従属請求項に記載されるという単なる事実は、これらの手段の組み合わせが有効に用いられ得ないことを示すものではない。請求項中のいかなる参照符号も、その範囲を限定するものとして解釈されるべきでない。
【図１】
2017505595.tif 000003
【図２】
2017505595.tif 000004
【国際調査報告】
2017505595.tif 000005
2017505595.tif 000006